(57)【特許請求の範囲】
【請求項１】
縦型ブラインドが備える複数のスラットの下端部に配置され、かつ、隣り合う前記スラットの間を繋ぐボトムコードが掛けられるバランスウェイトであって、
前記スラットの下端部に留められるように構成された支持体と、
前記支持体に対して回転可能に支持される移動体を備え、
前記支持体と前記移動体の何れか一方の部材は、穴部を含み、他方の部材は、前記穴部に挿入される軸部を含み、
前記移動体は、前記ボトムコードが掛けられる掛け止め部を含み、
前記掛け止め部に掛けられた前記ボトムコードが下方に引かれる引っ張り力を受けると、前記穴部に案内されて前記軸部が回転し、これによって、
前記掛け止め部が下方に変位し、前記支持体に対して前記移動体が分離し、
または、
上方を向いた前記掛け止め部が下方に変位する
バランスウェイト。
【請求項２】
前記支持体に対して前記移動体を仮止めする仮止め部をさらに備え、
前記仮止め部は、前記ボトムコードが前記引っ張り力を受けて仮止めが解除される
請求項１に記載のバランスウェイト。
【請求項３】
前記掛け止め部は、開口端を有する鈎部で構成され、
前記開口端は、前記引っ張り力を受ける前において、上側を向いている
請求項１または２に記載のバランスウェイト。
【請求項４】
前記仮止め部は、前記移動体と前記支持体のうちの何れか一方の部材に凸部を有し、何れか他方の部材に、前記凸部と係合する凹部を有し、
前記凸部と前記凹部が係合することで、前記支持体に対して前記移動体を仮止めする
請求項２に記載のバランスウェイト。
【請求項５】
縦型ブラインドが備える複数のスラットの下端部に配置され、かつ、隣り合う前記スラットの間を繋ぐボトムコードが掛けられるバランスウェイトであって、
前記スラットの下端部に留められるように構成された支持体と、
前記支持体の上下方向に延びる側縁部において、前記支持体の上端部に近い側から下端部の方向に向かって直線的に移動可能に支持される移動体を備え、
前記支持体は、前記上下方向に延び下端部が開口された穴部を含み、前記移動体は、前記穴部に挿入される軸部を含み、
前記移動体は、前記ボトムコードが掛けられる掛け止め部を含み、
前記掛け止め部に掛けられた前記ボトムコードが下方に引かれる引っ張り力を受けると、前記穴部に案内されて前記軸部が下方に変位し、これによって、
前記掛け止め部が下方に変位し、前記支持体の下端部から前記移動体が外れる
バランスウェイト。
【請求項６】
前記支持体は、一対の半体を突き合わせて構成され、
前記移動体は、前記一対の半体の間に構成された案内部に移動可能に配置される
請求項５に記載のバランスウェイト。
【発明の詳細な説明】
【技術分野】
【０００１】
本発明は、縦型ブラインドの複数のスラットの下端部に取り付けられるバランスウェイトに関する。
【背景技術】
【０００２】
縦型ブラインドは、ハンガーレールから吊下支持された複数のスラットをハンガーレールに沿って移動することが可能であり、かつ、各スラットをハンガーレールの長手方向に対して直交する回動軸を中心に回動することができる。各スラットの下端部には、バランスウェイトが取着され、各バランスウェイトは、ボトムコードで連結されている。各スラットは、バランスウェイトがボトムコードで連結されることによって、揺動が抑制されている（特許文献１参照）。
【０００３】
各バランスウェイトは、ボトムコードが掛け止められる掛け止め部を備えている。掛け止め部は、鉤部で構成されており、バランスウェイトに対して一体に設けられている。
【先行技術文献】
【特許文献】
【０００４】
【特許文献１】特開２００６−２４９７８３号公報
【発明の概要】
【発明が解決しようとする課題】
【０００５】
しかしながら、特許文献１の縦型ブラインドでは、掛け止め部がバランスウェイトに対して一体に設けられているため、居住者が誤ってボトムコードを踏みつけた場合のように、大きな引っ張り力が掛け止め部に加わった場合に、掛け止め部が破損してしまうおそれがある。
【０００６】
本発明は、上記課題を解決するためになされたものであり、その目的は、掛け止め部に大きな引っ張り力が加わった際にも掛け止め部の破損を抑制することを可能とした縦型ブラインドのバランスウェイトを提供することにある。
【課題を解決するための手段】
【０００７】
上記課題を解決するためのバランスウェイトは、縦型ブラインドが備える複数のスラットの下端部に配置され、かつ、隣り合う前記スラットの間を繋ぐボトムコードが掛けられるバランスウェイトであって、前記スラットの下端部に留められるように構成された支持体と、前記支持体に対して移動可能に支持される移動体を備える。前記支持体と前記移動体の何れか一方の部材は、穴部を含み、他方の部材は、前記穴部に挿入される軸部を含む。前記移動体は、前記ボトムコードが掛けられる掛け止め部とを含む。前記掛け止め部に掛けられた前記ボトムコードが下方に引かれる引っ張り力を受けると、前記穴部に案内されて前記軸部が変位し、これによって、前記掛け止め部が下方に変位し、前記支持体に対して前記移動体が分離し、または、上方を向いた前記掛け止め部が下方に変位する。
【０００８】
上記バランスウェイトにおいて、前記支持体に対して前記移動体を仮止めする仮止め部をさらに備え、前記仮止め部は、前記ボトムコードが前記引っ張り力を受けて仮止めが解除る構成としてもよい。
【０００９】
上記バランスウェイトにおいて、前記掛け止め部は、開口端を有する鈎部で構成され、前記開口端は、前記引っ張り力を受ける前において、上側を向いているようにしてもよい。
【００１０】
上記バランスウェイトにおいて、前記仮止め部は、前記移動体と前記支持体のうちの何れか一方の部材に凸部を有し、何れか他方の部材に、前記凸部と係合する凹部を有し、前記凸部と前記凹部が係合することで、前記支持体に対して前記移動体を仮止めするようにしてもよい。
【００１１】
上記バランスウェイトにおいて、前記移動体は、前記支持体に対して回転可能な状態で取り付けられ、前記引っ張り力を受けて回転するようにしてもよい。
【００１２】
上記バランスウェイトにおいて、前記支持体は、一対の半体を突き合わせて構成され、前記移動体は、前記一対の半体の間に構成された案内部に移動可能に配置されるようにしてもよい。
【発明の効果】
【００１３】
本発明によれば、掛け止め部に大きな引っ張り力が加わった際にも掛け止め部の破損を抑制することを可能とした縦型ブラインドのバランスウェイトを提供することができる。
【図面の簡単な説明】
【００１４】
【図１】第一実施形態における縦型ブラインドの正面図。
【図２】第一実施形態におけるバランスウェイトの分解斜視図。
【図３】支持体の支持突部と移動体の案内突部とスラットの下端部との関係を拡大して示した分解斜視図。
【図４】支持体と移動体の向きが揃った状態を示す平面図。
【図５】支持体に対して移動体が回転した状態を示す平面図。
【図６】支持体に対して移動体が外れる状態を示す平面図。
【図７】第二実施形態におけるバランスウェイトとスラットの下端部との関係を示した斜視図。
【図８】第二実施形態における支持体と移動体との関係を拡大して示した分解斜視図。
【図９】第二実施形態における移動体の動作を説明する平面図。
【図１０】第三実施形態のバランスウェイトの平面図。
【図１１】第四実施形態のバランスウェイトの斜視図。
【図１２】第二実施形態の変形例を示す断面図。
【発明を実施するための形態】
【００１５】
以下、一実施形態における縦型ブラインドについて図面を参照して説明する。
〔第一実施形態〕
図１に示すように、縦型ブラインドは、ハンガーレール１内に多数のランナー２がハンガーレール１の長手方向に沿って移動可能に支持され、各ランナー２からスラット３が垂下されている。各スラット３は、各ランナー２に備えられたハンガーレール１に対して垂下する方向の回転軸に回動可能に取り付けられている。
【００１６】
前記ハンガーレール１の長手方向の一端部には、操作コード４，５が垂下されている。操作コード４の操作に基づいてハンガーレール１内の駆動軸６が回転されると、先頭ランナー２ａがハンガーレール１内を移動する。そして、先頭ランナー２ａの移動にともなって後続のランナー２が移動して、各スラット３の引き出し操作と畳み込み操作が行われる。また、操作コード５の操作に基づいて、ハンガーレール１内の角度調節軸（図示しない）が回転され、各ランナー２内のギヤ機構を介して各スラット３が同位相で角度調節される。
【００１７】
各スラット３の下端部３ａには、それぞれバランスウェイト７が取着され、各バランスウェイト７は、ボトムコード８によって等間隔に連結されている。これにより、スラット３が移動する際にも、スラット３の揺動が抑制される。図２に示すように、バランスウェイト７は、全体が矩形板形状を有しており、支持体１１と移動体２１とで、スラット３の下端部３ａを挟み込むように構成されている。支持体１１および移動体２１は、対をなし、ほぼ同じ形状および大きさの矩形形状を有している。また、バランスウェイト７は、その長手方向の寸法がスラット３の幅方向の寸法とほぼ一致している。支持体１１と移動体２１は、共に、合成樹脂で形成されており、例えば、支持体１１および移動体２１の少なくとも何れか一方に、おもり部材となる鉄板等が備えられている。例えば、支持体１１と移動体２１の両方に鉄板を配置してもよいし、支持体１１と移動体２１の何れか一方に鉄板を配置し、他方にマグネットを配置して、支持体１１と移動体とが磁気吸引されるようにしてもよい。
【００１８】
支持体１１の移動体２１と対向する内面は、支持体１１をスラット３の下端部３ａに留めるための支持突部１２を備えている。支持突部１２は、少なくとも２つの半円弧形状を有し、移動体２１と対向する内面に対して突出した突部であって、支持体１１の内面の中央部分に設けられている。２つの支持突部１２で構成される仮想円の内側は、移動体２１の回転を案内する穴部となる。２つの支持突部１２は、互いに離間し、間に、２つの間隙部１３を構成している。２つの間隙部１３は、対向しており、ここでは、短手方向において対向して配置されている。この短手方向は、バランスウェイト７がスラット３の下端部３ａに取り付けられたとき、スラット３が垂下された上下方向となる。間隙部１３は、少なくとも１つであればよく、その１つの間隙部１３が上下方向において下側に配置されていればよい。間隙部１３を構成する支持突部１２間の幅Ｗ１は、移動体２１の案内突部２２の短辺方向の幅Ｗ２より広く、案内突部２２が通過できる寸法とされる。間隙部１３は、少なくとも、矢印Ｄ１方向の引っ張り力によって案内突部２２が抜け落ちる方向に設けられていればよい。
【００１９】
一方、スラット３の下端部３ａは、支持体１１を留めるための支持孔１４を備えている。支持孔１４は、２つの支持突部１２で構成される仮想円とほぼ同じ大きさを有しており、２つの支持突部１２が嵌合される。２つの支持突部１２の内周面は、移動体２１の回転を案内する案内面１５を構成している。各支持突部１２の案内面１５は、支持体１１に対する移動体２１の脱落を防止する案内溝１５ａを備えている。案内溝１５ａは、例えば、支持突部１２の半分程度の高さの位置に周回方向に沿って配置されている。案内溝１５ａは、周回方向の中間位置に、凸部１６を備えている。
【００２０】
移動体２１の支持体１１と対向する内面は、支持体１１に対する回転を案内する軸部としての案内突部２２を備えている。案内突部２２は、内面に対して突出した突部であって、細長い矩形形状を有する。案内突部２２の長辺の寸法は、穴部を構成する２つの支持突部１２によって構成される仮想円の内径と一致される。案内突部２２は、移動体２１の短手方向の中央であって、かつ、長手方向の中央部に、長手方向に対して平行となるように設けられている。また、案内突部２２の短辺方向の幅Ｗ２は、間隙部１３を通過できる寸法に設定されている。案内突部２２の短辺の各側面は、支持突部１２の案内面１５に対応した円弧状面で構成され、さらに、案内溝１５ａに係合される係合突起２３を備えている。図３に示すように、係合突起２３は、凸部１６と係合される凹部２４を備えている。凸部１６と凹部２４は、仮止め部を構成する。凸部１６と凹部２４とが係合する仮止め位置は、支持体１１と移動体２１の向きが揃った位置である。
【００２１】
また、移動体２１は、一方の長辺と当該長辺に隣接する２つの短辺とで構成される２つのコーナ部に、ボトムコード８が掛け止められる掛け止め部２５を備えている。掛け止め部２５は、開口端２５ａを有した鈎部によって構成されている。開口端２５ａは、スラット３の下端部３ａに取り付けられた状態において、上側を向いている。掛け止め部２５の先端部と開口端２５ａを介して対向する位置には、ボトムコード８の抜け止めとなる係止部２５ｂが配置されている。係止部２５ｂは、例えば開口端２５ａに向かって突出した突起によって構成されている。ボトムコード８は、取付リング４４（図１参照）が固定されており、掛け止め部２５には、取付リング４４が掛け止められる。
【００２２】
スラット３の下端部３ａにバランスウェイト７を取り付けるには、支持体１１と移動体２１とが分離された状態において、支持体１１の支持突部１２がスラット３の下端部３ａの支持孔１４に嵌合される。次いで、移動体２１は、支持体１１に対して直交する状態に配置し、２つの支持突部１２の間に位置し上下に対向した２つの間隙部１３に、案内突部２２を配置する。そして、移動体２１を支持体１１に対して平行な状態で回転させる。すると、係合突起２３は、案内溝１５ａに係合し、案内面１５に案内されながら回転する。そして、９０°回転したところで、凸部１６が凹部２４に係合する。図４に示すように、これにより、移動体２１は、支持体１１に対して向きが揃った状態で仮止めされ、スラット３の下端部３ａを挟持する。この状態において、移動体２１の掛け止め部２５は、開口端２５ａが上側を向いており、ボトムコード８の取付リング４４が掛け止められる。そして、移動体２１は、係合突起２３が案内溝１５ａに係合されていることで、スラット３を移動させる際に、支持体１１に対して移動体２１が離間する方向に分離されることが抑制されている。また、凸部１６が凹部２４に係合することで、支持体１１に対して移動体２１が回転してしまうことが抑制されている。
【００２３】
次に、以上のように構成された縦型ブラインドの作用について説明する。
ボトムコード８は、スラット３の下端部３ａに配置されているので、利用者が誤って踏んでしまい、または、足が引っかかってしまうことがある。図５に示すように、このような場合には、ボトムコード８が引っ張られることで、掛け止め部２５に対して引っ張り力が加わる。すると、ボトムコード８の引っ張り力を受けて、移動体２１は、支持体１１に対して、案内突部２２が支持突部１２の案内面１５に案内されながら回転する。これにより、掛け止め部２５は、開口端２５ａが上を向いた状態から横を向いた状態に変位し、掛け止め部２５に対してボトムコード８から加わる引っ張り力が和らげられる。ここで、支持体１１に対する移動体２１の向きを元に戻すには、改めて、手動で、移動体２１を支持体１１と向きが揃うように回転させればよい。
【００２４】
図６に示すように、移動体２１が支持体１１に対してさらに回転したときには、案内突部２２の係合突起２３が間隙部１３に位置することによって案内溝１５ａから外れる。これにより、下側に位置する間隙部１３から案内突部２２が抜けるようにして、支持体１１に対して移動体２１が離れる。これにより、ボトムコード８から掛け止め部２５に加わる引っ張り力がほぼ無くなる。移動体２１を支持体１１に対して元に戻すには、再度、上述したように支持体１１に対して移動体２１を取り付ければよい。
【００２５】
以上のような縦型ブラインドは、以下のように列挙する効果を得ることができる。
（１）ボトムコード８から掛け止め部２５に引っ張り力が加わったときには、支持体１１に対して移動体２１が回転し、掛け止め部２５が上下方向において下方に変位する。これにより、掛け止め部２５に加わる力を和らげることができ、掛け止め部２５が引っ張り力によって破損することを抑制することができる。
（２）案内突部２２の係合突起２３が間隙部１３に位置したときには、支持体１１に対して移動体２１が外れる。これにより、掛け止め部２５が破損することを抑制することができる。
（３）（１）および（２）により掛け止め部２５の破損が抑制されることによって、移動体２１が破損することが少なくなり、移動体２１の部品交換の頻度を少なくすることができる。
【００２６】
（４）支持体１１に対する移動体２１と取付構造は簡素な構造であり、支持体１１に対しては、移動体２１を容易に取り付けることができる。
（５）凸部１６が凹部２４に係合することで、スラット３を移動させる際に、支持体１１に対して移動体２１が回転してしまうことを抑制することができる。
（６）支持体１１に対して移動体２１が回転したとき、掛け止め部２５の開口端２５ａが横を向くことで、ボトムコード８が掛け止め部２５から外れやすくなり、掛け止め部２５が破損することを抑制することができる。
【００２７】
〔第二実施形態〕
図７に示すように、第二実施形態のバランスウェイト７は、それぞれが矩形板形状を有する一対の第１半体３１ａと第２半体３１ｂとを突き合わせて構成される支持体３１を備えている。第１半体３１ａと第２半体３１ｂとは、下端部の長辺に沿った直線状の薄肉部３２を介して回動可能に連結されている。第１半体３１ａと第２半体３１ｂとが薄肉部３２を回動支点として折り畳まれたとき、スラット３の下端部３ａを挟み込む。第１半体３１ａと第２半体３１ｂは、合成樹脂で形成され、その上端部には、スラット３の下端部３ａを挿通するための挿通孔３３が形成されている。そして、挿通孔３３に挿通した下端部３ａで支持体３１の外面を覆い、スラット３の下端部３ａの更に先端部を第１半体３１ａと第２半体３１ｂの間に挟み込むことにより、バランスウェイト７が下端部３ａに保持されている。
【００２８】
支持体３１の上端部の両コーナ部には、移動体３４が回転可能に取り付けられる。図８に示すように、支持体３１を構成する第１半体３１ａは、外側に突出した部分に、移動体３４を支持する軸部としての支軸３５を備えた配置部３６を備えている。また、第２半体３１ｂは、支軸３５および配置部３６を外部に臨ませる切欠部３７を備えている。移動体３４は、扇形形状を有する回転部４１と、回転部４１と一体で構成された掛け止め部４２とを備えている。回転部４１は、支軸３５が挿入される穴部としての軸孔４３を備えている。
【００２９】
また、切欠部３７の側面は、配置部３６に配置された移動体３４が回転するように円弧状面であり、移動体３４の回転を案内する案内面３７ａが構成されている。案内面３７ａは、配置部３６に対する移動体３４の脱落を防止する案内溝３７ｂを備えている。案内溝３７ｂは、例えば、案内面３７ａの半分程度の高さの位置に周回方向に沿って配置されている。案内溝３７ｂは、周回方向に、凹部３７ｃを備えている。
【００３０】
一方、案内面３７ａと対向する回転部４１の外側面は、案内面３７ａの円弧状面に対応した円弧状面を有しており回転案内面４１ａを構成している。回転案内面４１ａには、周回方向に、係合突起４１ｂを備えている。係合突起４１ｂは、凹部３７ｃと係合される凸部４１ｃを備えている。凸部４１ｃと凹部３７ｃとは、仮止め部を構成する。凸部４１ｃと凹部３７ｃとが係合した仮止め位置は、回転部４１が配置部３６に収まり、凸部４１ｃと凹部３７ｃとが係合して仮止めされる位置である。
【００３１】
回転部４１は、移動体３４が仮止め状態にあるとき、配置部３６から外部にはみ出すように、ボトムコード８の取付リング４４が掛け止められる掛け止め部４２を備えている。掛け止め部４２は、開口端４２ａを有した鈎部によって構成されている。開口端４２ａは、仮止め状態において、上側を向いている。掛け止め部４２の先端部と開口端４２ａを介して対向する位置には、ボトムコード８の抜け止めとなる係止部４２ｂが突設されている。
【００３２】
支持体３１に対して移動体３４を取り付けるには、支持体３１の配置部３６に配置された支軸３５を移動体３４の軸孔４３に挿入する。これと共に、移動体３４の係合突起４１ｂを切欠部３７の側面に配置された案内溝３７ｂに係合させ、移動体３４を支持体３１に対して、凸部４１ｃと凹部３７ｃとが係合するまで回転させる。これにより、移動体３４は、配置部３６に収まった状態に仮止めされる。この状態において、移動体３４の掛け止め部４２は、開口端４２ａが上側を向いており、掛け止め部４２には、ボトムコード８の取付リング４４が掛け止められる。
【００３３】
次に、以上のように構成された第二実施形態のバランスウェイト７の作用について説明する。図９に示すように、移動体３４は、係合突起４１ｂが案内溝３７ｂに係合されていることで、スラット３を移動させる際に、支持体３１に対して移動体３４が離間する方向に分離されることが抑制されている。また、凸部４１ｃが凹部３７ｃに係合することで、スラット３を移動させる際に、支持体３１に対して移動体３４が回転してしまうことが抑制されている。
【００３４】
図９中二点鎖線で示すように、掛け止め部４２に対して引っ張り力が加わったときには、ボトムコード８の引っ張り力を受けて、移動体３４が、支持体３１の配置部３６に対して、回転案内面４１ａが案内面３７ａに案内されながら回転する。これにより、掛け止め部４２は、開口端４２ａが上を向いた状態から下方を向いた状態に変位し、掛け止め部４２に対してボトムコード８から加わる引っ張り力を和らげられる。また、開口端４２ａが下方を向くことで、ボトムコード８が掛け止め部４２から抜けやすくなる。これにより、掛け止め部４２は、引っ張り力によって破損することを抑制される。ここで、支持体３１に対する移動体３４の向きを元に戻すには、手動で、移動体３４を支持体３１と向きが揃うように回転させればよい。なお、第二実施形態では、引っ張り力によって、移動体３４が回転したときにも、係合突起４１ｂが案内溝３７ｂから外れることはない。
【００３５】
以上のようなバランスウェイト７は、上記（１）などに記載された効果と同様の効果を得ることができることに加え、さらに以下のような効果を得ることができる。
（７）移動体３４は、支持体３１の上端部の両コーナ部の配置部３６に配置されているので、掛け止め部４２が下方に回転したときにも、掛け止め部４２が床に当たり傷を付けることを抑制することができる。
（８）支持体３１の上端部の両コーナ部の配置部３６に配置された移動体３４は、それぞれ部屋内側と部屋外側に位置することになる。このような場合でも、移動体３４と配置部３６は、バランスウェイト７の上端部の両コーナ部において独立した構成であるため、部屋内側において移動体３４が配置部３６を移動することがあっても部屋外側に位置する移動体３４に対しては、その影響を少なくすることができる。すなわち、部屋外側に位置する移動体３４が部屋内側の移動体３４の影響を受けて移動してしまうことを抑制できる。
（９）移動体３４をバランスウェイト７の上端部の両コーナ部で共通部品とすることができる。
【００３６】
〔第三実施形態〕
第三実施形態は第二実施形態の変形例である。図１０に示すように、第三実施形態は、仮止め部を構成する凸部４１ｃが穴部としての軸孔４３の内周面に備えられ、凸部４１ｃと係合する凹部３７ｃが軸部としての支軸３５の外周面に備えられている。このような構成によっても、移動体３４を支持体３１の配置部３６に収まった仮止め位置に仮止めすることができる。
【００３７】
また、第三実施形態では、移動体３４が支持体３１に対して外れるように、係合突起４１ｂの周回方向の長さが第二実施形態の場合に対して短くなっており、掛け止め部４２が下方に変位したとき、係合突起４１ｂが案内溝３７ｂから外れる構成となっている。
【００３８】
移動体３４が支持体３１に対して分離されたときには、移動体３４が紛失するおそれがある。そこで、支持体３１と移動体３４とは、紐などの連結部材４５によって連結してもよい。例えば、連結部材４５の一端部を移動体３４に接着剤などの固定手段で固定し、他端部を同様に支持体３１に固定する。これにより、移動体３４は支持体３１から分離されたときにも、紛失することを抑制することができる。
【００３９】
〔第四実施形態〕
第四実施形態は、支持体に対して移動体が直線的に変位する。図１１に示すように、支持体５１は、全体が矩形板形状を有しており、上下方向である短手方向に沿った両側の側縁部５２の内部に移動可能に移動体６１が配置されている。支持体５１は、第二実施形態のように、一対の第１半体５１ａと第２半体５１ｂとを突き合わせて構成され、第１半体５１ａと第２半体５１ｂとの間に、スラット３の下端部３ａを挟み込むと共に、移動体６１の移動空間となる案内部５３が構成されている。案内部５３は、移動体６１を第１半体５１ａと第２半体５１ｂの互いに相対する内面で挟み込むと共に、移動体６１の直線的な移動を案内する。また、案内部５３には、穴部としての案内孔５４が移動体６１の移動方向に沿って、すなわち直線状に配置されている。案内孔５４は、好ましくは支持体５１の各面に配置される。案内部５３および案内孔５４は、下端部が開口されており、移動体６１が落下可能に構成されており、下端部には、仮止め部となる凸部５６が相対するようにして配置されている。また、支持体５１の短手方向に沿った側縁部には、露出孔５５が配置されている。なお、凸部５６は、移動体６１を引っ張り力で変位する前の初期位置で仮止めできるように、図中実線で示した移動体６１における案内軸６２の直下に配置してもよい。
【００４０】
移動体６１は、案内部５３に配置される。移動体６１は、案内孔５４に係合する軸部としての案内軸６２が備えられている。案内軸６２は、凸部５６に係合することで、移動体６１が案内部５３から落下することが抑制され、強い引っ張り力が加わったときに、相対する２つの凸部５６の間を通過する。また、移動体６１は、露出孔５５から露出され、ボトムコード８の取付リング４４が掛け止められる掛け止め部６３を備えている。掛け止め部６３は、上下方向に直線的に移動するので開口端は上側を向いている。なお、掛け止め部６３は、上述した掛け止め部２５，４２とほぼ同様な構成を有している。
【００４１】
次に、以上のように構成された第四実施形態のバランスウェイト７の作用について説明する。スラット３を移動させる状態において、移動体６１は、案内部５３の相対する内面に圧接され、その圧接力によって、案内部５３の上端部に保持される。掛け止め部６３に対して引っ張り力が加わったときには、ボトムコード８の引っ張り力を受けて、移動体６１が、案内部５３を下方に変位し、掛け止め部６３も同方向に変位する。これにより、掛け止め部６３は、ボトムコード８から加わる引っ張り力が和らげられ、引っ張り力によって破損することを抑制される。ここで、支持体５１に対する移動体６１の位置を元に戻すには、改めて、手動で、移動体６１を案内部５３の上端部にまで変位させればよい。
【００４２】
ボトムコード８によって移動体６１がさらに引っ張られた場合、案内軸６２が相対する凸部５６の間を通過し、これにより、移動体６１は、案内部５３から外れる。これにより、ボトムコード８から掛け止め部６３に加わる引っ張り力がほぼ無くなり、掛け止め部６３が破損することを抑制される。移動体６１が支持体５１に対して外れた後は、再度、上述したように支持体５１の案内部５３の下端部の開口より移動体６１を挿入すればよい。以上のようなバランスウェイト７によっても、上記（１）などに記載された効果と同様の効果を得ることができる。
【００４３】
なお、以上のようなバランスウェイト７は、さらに、以下のように適宜変更して実施することもできる。
〔その他の変形例〕
・掛け止め部は、上述した第一実施形態から第四実施形態の何れにおいても、開口端が上側を向いていたが、開口端は、下側を向いていてもよいし、それ以外の方向を向いていてもよい。開口端が下側を向く場合、容易にボトムコード８が外れないように、掛け止め部内にボトムコード８を係止したり開口端の幅を狭めたりする突起などの係止部を設けるとよい。
・掛け止め部の形状は、ボトムコード８を掛け止めることができる形状であれば特に限定されるものではない。例えば、係止部２５ｂ，４２ｂを割愛してもよい。
・掛け止め部が引っ張られて下方に変位する際の移動体が支持体から外れるまでの変位量は、特に限定されるものではないが、大きいほど、移動体が支持体に対して外れにくくなり、移動体を支持体に取り付ける煩わしさを減らすことができる。
・掛け止め部が引っ張られて下方に変位した際の開口端の向きも、特に限定されるものではない。すなわち、掛け止め部が引っ張られて下方に変位した際に、掛け止め部の開口端は、斜め上を向いていてもよいし、横を向いていてもよいし、斜め下方を向いてもよい。
【００４４】
・第一実施形態において、仮止め部を構成する凸部１６を移動体２１の係合突起２３に設け、凹部２４を支持体１１の案内溝１５ａに設けてもよい。また、第二実施形態において、凹部３７ｃを移動体２１の係合突起４１ｂに設け、凸部４１ｃを支持体１１の案内溝３７ｂに設けてもよい。さらに、第三実施形態において、凸部４１ｃを支軸３５の外周面に設け、凹部３７ｃを軸孔４３の内周面に設けてもよい。
【００４５】
・仮止め部は、第一実施形態から第三実施形態のように、移動体が引っ張り力で変位する前の初期位置で移動体を仮止めしてもよいし、第四実施形態のように、支持体から外れる直前で仮止めするようにしてもよい。また、仮止め部は、移動体の変位する範囲において複数個所に設けるようにしてもよい。
・上述した第一実施形態から第四実施形態で説明したように、凹部と凸部とで構成した仮止め部を設けなくてもよい。
この場合、例えば、第一実施形態では、案内突部２２の短辺の各側面の円弧状面と案内面１５との圧接力を、スラット３を移動させるといった通常の使用では案内突部２２が支持突部１２に対して回転しない程度の圧接力に設定することで仮止め部の代わりとすることができる。
第二実施形態および第三実施形態においても、案内面３７ａと回転案内面４１ａとの圧接力を、通常の使用では移動体３４が支持体３１に対して回転しない程度の圧接力に設定することで仮止め部の代わりとすることができる。圧接力は、支軸３５の外周面と軸孔４３の内周面との摩擦で調整してもよい。
さらに、第四実施形態においても、第１半体と第２半体とで移動体６１を挟み込む圧接力を通常の使用では移動体３４が支持体３１に対して移動しない程度に設定することで仮止め部の代わりとすることができる。
【００４６】
・バランスウェイト７は、スラット３の下端部３ａに縫い合わせてもよく、また、接着剤などで固定してもよい。すなわち、バランスウェイト７は、スラット３の下端部３ａに対してどのような構成で固定されていてもよい。
・移動体は、支持体に対して、第二実施形態のように、最終的に外れなくてもよい。掛け止め部が下方に移動するだけで、引っ張り力を和らげることができ、掛け止め部が破損する可能性が低くなるからである。
・軸部を支持体に配置し穴部を移動体に配置するのではなく、穴部を支持体に配置し、軸部を移動体に配置してもよい。例えば、第一実施形態では、支持体１１に軸部としての案内突部２２を配置し、移動体２１に穴部としての支持突部１２を配置するようにしてもよい。また、第二実施形態および第三実施形態では、支持体３１に穴部としての軸孔４３を配置し、移動体３４に軸部としての支軸３５を配置するようにしてもよい。第四実施形態では、支持体５１に軸部としての案内軸６２を配置し、移動体６１に穴部としての案内孔５４を配置してもよい。
・第一実施形態において、案内突部２２の形状は、細長い矩形形状に限定されるものではなく、例えば係合突起２３を設ける部分だけ移動体２１の内面に対して突部とし、２つの突部の間は、内面と同一平面の平坦部としてもよい。また、中間部分が幅広な樽形状であってもよい。すなわち、係合突起２３は、軸部として機能し得る形状であれば特に限定されない。
・第一実施形態において、スラット３の下端部３ａに配置された支持孔１４を、２つの支持突部１２で構成される仮想円に対してがたつきを有する程度に大きな穴部や、スラット３の下端部３ａの縁部が開口されたコ字状の切欠部で構成してもよい。このような場合は、支持突部１２がスラット３の下端部３ａに留める機能を備えないようになり、スラット３の下端部３ａがバランスウェイト７に対して正確に位置が決まらなくなってしまう。このため、支持体１１の移動体２１と対向する内面であって、上記仮想円の周囲には、突起を複数配置し、複数の突起にスラット３の下端部３ａを引っかけ、支持体１１をスラット３の下端部３ａに留めるように構成してもよい。
・第二実施形態および第三実施形態において、支軸３５が軸孔４３に挿通された際、支軸３５をカシメたり、支軸３５に抜け止め部材を取り付けることによって、移動体３４が配置部３６から外れることを抑制する構成としてもよい。
【００４７】
・第二実施形態において、移動体３４を配置する配置部３６を、支持体３１の上下方向の側縁部から突出しない構成としてもよい。図１２に示すように、この場合、第１半体３１ａと第２半体３１ｂとを突き合わせ結合してなる支持体３１の上端部の両コーナ部には、移動体３４が回転可能に取り付けられる空間部である案内部３８が構成されている。第１半体３１ａにおいて、案内部３８を構成する部分は、支軸３５が配置されており、移動体３４が回転可能に配置される配置部３６となる。移動体３４は、回転部４１と掛け止め部４２を備えており、回転部４１の軸孔４３に支軸３５が挿入される。また、支持体３１の短手方向の側面部には、掛け止め部４２を外部に露出させる露出孔４６が配置される。露出孔４６は、側面部の上下方向に掛け止め部４２の移動範囲に亘って設けられている。掛け止め部４２は、初期位置において、露出孔４６の上端部に位置しており、ボトムコード８によって引っ張られると、掛け止め部４２が下端部の方向に変位する。このようなバランスウェイトは、全体形状が矩形形状となり、配置部が矩形形状に対して突出することもなくなり、形状を簡素化することができる。
・第二実施形態において、移動体３４は、配置部３６から落下する構成としてもよい。この場合、掛け止め部４２が最も下まで変位したときに、案内溝３７ｂから係合突起４１ｂが外れる構成とすればよい。
・第一実施形態、第二実施形態、および、第四実施形態においても、支持体から分離した移動体が紛失しないように、支持体と移動体とを紐などの連結部材で連結してもよい。
・ボトムコード８は、取付リング４４を備えていなくてもよい。この場合、ボトムコード８が直接掛け止め部に掛け止められる。
【符号の説明】
【００４８】
１…ハンガーレール、２…ランナー、２ａ…先頭ランナー、３…スラット、３ａ…下端部、４，５…操作コード、６…駆動軸、７…バランスウェイト、８…ボトムコード、１１…支持体、１２…支持突部、１３…間隙部、１４…支持孔、１５…案内面、１５ａ…案内溝、１６…凸部、２１…移動体、２２…案内突部、２３…係合突起、２４…凹部、２５…掛け止め部、２５ａ…開口端、２５ｂ…係止部、３１…支持体、３１ａ…第１半体、３１ｂ…第２半体、３２…薄肉部、３３…挿通孔、３４…移動体、３５…支軸、３６…配置部、３７…切欠部、３７ａ…案内面、３７ｂ…案内溝、３７ｃ…凹部、３８…案内部、４１…回転部、４１ａ…回転案内面、４１ｂ…係合突起、４１ｃ…凸部、４２…掛け止め部、４２ａ…開口端、４２ｂ…係止部、４３…軸孔、４４…取付リング、４５…連結部材、４６…露出孔、５１…支持体、５１ａ…第１半体、５１ｂ…第２半体、５２…側縁部、５３…案内部、５４…案内孔、５５…露出孔、５６…凸部、６１…移動体、６２…案内軸、６３…掛け止め部。
【図１】
0006695680.tif 000002
【図２】
0006695680.tif 000003
【図３】
0006695680.tif 000004
【図４】
0006695680.tif 000005
【図５】
0006695680.tif 000006
【図６】
0006695680.tif 000007
【図７】
0006695680.tif 000008
【図８】
0006695680.tif 000009
【図９】
0006695680.tif 000010
【図１０】
0006695680.tif 000011
【図１１】
0006695680.tif 000012
【図１２】
0006695680.tif 000013